(57)【要約】【課題】顧客の施設の医療画像装置の状態や運用等を監視して、サービスマンが顧客の施設を訪問しなくても、顧客が容易かつ的確に医療画像装置の運用を最適化することが可能な医療画像装置解析システムを提供する。【解決手段】医療画像装置解析システム１００は、顧客の施設Ａ、Ｂ、Ｃ、…から、施設内の医療画像装置１、３、５に関する装置識別設定情報、装置状態の情報若しくは顧客の運用データのいずれか１つ又は組み合わせを収集し、収集した装置識別設定情報、前記装置状態の情報又は顧客の運用データに基づいて顧客の当該医療画像装置１、３、５に対する運用上の課題を分析し、分析結果を当該顧客にフィードバックする。【選択図】図５
2018163408.tif 000002
【特許請求の範囲】
【請求項１】
顧客の施設から、前記施設内の医療画像装置に関する装置識別設定情報、装置状態の情報若しくは顧客の運用データのいずれか１つ又は組み合わせを収集し、
収集した前記装置識別設定情報、前記装置状態の情報又は前記顧客の運用データに基づいて顧客の当該医療画像装置に対する運用上の課題を分析し、
分析結果を当該顧客にフィードバックすることを特徴とする医療画像装置解析システム。
【請求項２】
前記分析結果として、前記運用上の課題を解決する方法を前記顧客にフィードバックすることを特徴とする請求項１に記載の医療画像装置解析システム。
【請求項３】
前記施設は、フィードバックされた前記分析結果を当該施設内の装置の画面上に表示することを特徴とする請求項１又は請求項２に記載の医療画像装置解析システム。
【請求項４】
前記施設は、フィードバックされた前記分析結果を前記医療画像装置に顧客が確認した上で又は顧客の確認なしに適用することを特徴とする請求項１から請求項３のいずれか一項に記載の医療画像装置解析システム。
【請求項５】
複数の顧客の各施設から、前記施設内の医療画像装置に関する装置識別設定情報、装置状態の情報若しくは顧客の運用データのいずれか１つ又は組み合わせを収集し、
一の顧客の前記施設から収集した前記装置識別設定情報、前記装置状態の情報又は前記顧客の運用データに基づいて顧客の当該医療画像装置に対する運用上の課題を分析する際に、他の顧客の施設の前記医療画像装置に対する運用上の課題を分析した前記分析結果を利用して分析し、
前記分析結果又は前記運用上の課題を解決する方法を前記一の顧客にフィードバックすることを特徴とする請求項１から請求項４のいずれか一項に記載の医療画像装置解析システム。
【発明の詳細な説明】
【技術分野】
【０００１】
本発明は、医療画像装置解析システムに関する。
【背景技術】
【０００２】
医療に用いられる画像を撮影する医療画像装置としては、放射線画像撮影装置（Flat Panel Detector：ＦＰＤ）やＣＴ（Computed Tomography）、ＭＲＩ（Magnetic Resonance Imaging）、超音波装置、乳房画像撮影装置（mammography）等の種々の装置が知られている。また、医療画像装置には、放射線画像撮影装置等に放射線を照射する放射線発生装置や、ＣＲ（Computed Radiography）カセッテ内の輝尽性蛍光体プレートから信号値を読み取る放射線画像読取装置等も含めることができる。
【０００３】
そして、そのような医療画像装置については、従来から、装置の故障や寿命を予測して顧客に知らせたり、問題が生じた場合に顧客に解決方法を知らせることが行われてきた。例えば特許文献１には、放射線画像撮影装置を対象として、放射線画像撮影装置の利用状況を収集し、画像から劣化度合いを得て、放射線画像撮影装置の寿命を予測するシステムが記載されている。また、特許文献２には、医療画像装置に問題が生じた場合に、顧客がサービス施設のデータベースにアクセスして解決法のリストを表示させて、問題解決の参考にする技術が記載されている。
【先行技術文献】
【特許文献】
【０００４】
【特許文献１】特開２０１１−７２４１７号公報
【特許文献２】特開２００１−２０９７２４号公報
【発明の概要】
【発明が解決しようとする課題】
【０００５】
しかしながら、特許文献１に記載されたシステムは、基本的に、放射線画像撮影装置に搭載されたり、あるいは放射線画像撮影装置を制御するコンソール等に搭載されるものであるため、顧客の病院等の施設が放射線画像撮影装置だけでなくＣＴやＭＲＩ等の他の医療画像装置を有している場合には、各医療画像装置にそれぞれ上記のシステムやそれに相当するシステムを搭載させなければならない。また、このシステムは上記のように装置等に搭載されるものであるため、メーカーやサービスマンがその情報を知ることができない。
【０００６】
また、特許文献１に記載されたシステムでは、顧客がサービス施設のデータベースにアクセスしないと解決法のリストを見ることができない。そして、顧客が解決法のリストの中から希望する解決法を選択して表示させるが、このように、顧客が適切な解決法を求めて種々の操作を行う作業は顧客にとって面倒であり、あまり便利なものとは言えない。
【０００７】
これらの問題を解決するためには、メーカーのサービスマンが顧客の施設を小まめに訪問して顧客に医療画像装置の運用を最適化するためのアドバイス等を行うことが考えられる。が、医療画像装置が日本国内のみならず世界中に散在していることを考慮すると、サービスマンの訪問にも限界があり、必ずしも十分な対応を取ることができない。
【０００８】
また、顧客が各医療画像装置について必ずしも最適な運用をしているとは限らず、また、各医療画像装置のソフトウエアの更新や最適な設定パラメーターへの変更に対応できていない場合もある。そして、そのような場合には、被写体である患者が過剰な被曝を受ける等の問題が生じている可能性もあり得る。そのため、このような問題を解決するためにもサービスマンが顧客の施設を頻繁に訪問すればよいが、上記のようにそれが必ずしも容易ではないのが現状である。
【０００９】
本発明は、上記の問題点を鑑みてなされたものであり、顧客の施設の医療画像装置の状態や運用等を監視して、サービスマンが顧客の施設を訪問しなくても、顧客が容易かつ的確に医療画像装置の運用を最適化することが可能な医療画像装置解析システムを提供することを目的とする。
【課題を解決するための手段】
【００１０】
前記の問題を解決するために、本発明の医療画像装置解析システムは、
顧客の施設から、前記施設内の医療画像装置に関する装置識別設定情報、装置状態の情報若しくは顧客の運用データのいずれか１つ又は組み合わせを収集し、
収集した前記装置識別設定情報、前記装置状態の情報又は前記顧客の運用データに基づいて顧客の当該医療画像装置に対する運用上の課題を分析し、
分析結果を当該顧客にフィードバックすることを特徴とする。
【発明の効果】
【００１１】
本発明のような方式の医療画像装置解析システムによれば、顧客の施設の医療画像装置の状態や運用等を監視して、サービスマンが顧客の施設を訪問しなくても、顧客が容易かつ的確に医療画像装置の運用を最適化することが可能となる。
【図面の簡単な説明】
【００１２】
【図１】医療画像装置の例としての放射線画像撮影装置の外観を示す斜視図である。
【図２】放射線画像撮影装置の放射線検出素子等の拡大図である。
【図３】撮影室等の構成例を表す図である。
【図４】放射線発生装置等を搭載した回診車の構成例等を表す図である。
【図５】本実施形態に係る医療画像装置解析システムの構成例を表す図である。
【図６】顧客の運用上の課題の例や課題への対策の例等を表す図である。
【発明を実施するための形態】
【００１３】
以下、本発明に係る医療画像装置解析システムの実施の形態について、図面を参照して説明する。
【００１４】
なお、以下では、医療画像装置が放射線画像撮影装置（以下、ＦＰＤという場合がある。）やそれに関連する装置である場合について説明するが、医療画像装置が、それ以外のＣＴやＭＲＩ、超音波装置等でもよく、また、それらの組み合わせでもよく、本発明は、医療画像装置が放射線画像撮影装置やそれに関連する装置である場合に限定されない。
【００１５】
［放射線画像撮影装置について］
本実施形態に係る医療画像装置解析システムについて説明する前に、医療画像装置の例としての放射線画像撮影装置や放射線発生装置等について説明する。まず、放射線画像撮影装置について説明する。なお、以下では、放射線画像撮影装置が、カセッテ型（可搬型等ともいう。）である場合について説明するが、放射線画像撮影装置が支持台等に上下方向に移動可能に取り付けられた、いわゆる据え付け型（固定型等ともいう。）であってもよい。
【００１６】
図１は、医療画像装置の例としての放射線画像撮影装置の外観を示す斜視図であり、図２は、放射線画像撮影装置の放射線検出素子等の拡大図である。放射線画像撮影装置１は、表面に複数の放射線検出素子２４（図２参照。以下、画素という場合がある。）が二次元状（マトリクス状）に配列された図示しないセンサー基板等で構成されるセンサーパネルＳＰが筐体２０（図１参照）内に収納されて形成されている。
【００１７】
そして、図１に示すように、放射線画像撮影装置１の筐体２０の一方の側面には、スイッチ類２１やコネクター２２、インジケーター２３等が配置されている。また、図示を省略するが、筐体２０の反対側の側面には、外部と無線通信を行うためのアンテナが設けられている。
【００１８】
なお、図２に示すように、各放射線検出素子２４は、薄膜トランジスター（Thin Film Transistor：ＴＦＴ）等で形成されるスイッチ素子２５を備えており、スイッチ素子２５を介して信号線２６に接続されている。また、スイッチ素子２５には走査線２７が接続されており、スイッチ素子２５は、走査線２７を介してオン電圧やオフ電圧が印加されることでオン状態やオフ状態になる。また、各放射線検出素子２４には、放射線検出素子２４に逆バイアス電圧を印加するためのバイアス線２８がそれぞれ接続されている。
【００１９】
また、図示を省略するが、放射線画像撮影装置１は、この他、照射された放射線を可視光等の別の波長の電磁波に変換して放射線検出素子２４に照射するシンチレーターや、放射線検出素子２４から画像データを読み出すための読み出しＩＣ、読み出された画像データを保存するための記憶手段、各走査線２７に印加する電圧（オン電圧やオフ電圧）を切り替えるゲートドライバー、アンテナを介する無線通信を行う無線モジュール、装置内の読み出しＩＣや記憶手段、ゲートドライバー、無線モジュール等の各機能部に必要な電力を供給する内蔵電源、装置内の各機能部の動作の制御等を行う制御手段等を備えている。
【００２０】
［放射線画像撮影装置を用いた撮影に関連する装置について］
次に、上記の放射線画像撮影装置１を用いた撮影に用いられるなど撮影に関連する各装置について説明する。放射線画像撮影装置１を用いた撮影は、例えば図３に示すような撮影室Ｒａで行われる場合があり、また、図４に示すように、放射線発生装置３等を回診車３０に搭載し、病室Ｒ１に持ち込んで病室Ｒ１等で行われる場合もある。
【００２１】
例えば図３に示すように、撮影を病院等の施設の撮影室Ｒａで行う場合、放射線画像撮影装置１は、撮影台２（立位撮影用の撮影台２Ａや臥位撮影用の撮影台２Ｂ）のカセッテホルダー２ａに装填されて撮影に用いられる。また、例えば、放射線画像撮影装置１を臥位撮影用の撮影台２Ｂの天板上に横臥した図示しない被写体と天板との間に差し込む等して配置することも可能である。
【００２２】
撮影室Ｒａには、図示しない被写体に放射線を照射する放射線発生装置３の放射線源３ａが少なくとも１つ設けられている。そして、放射線発生装置３は、放射線技師等の撮影者により管電圧や管電流、照射時間（あるいはｍＡｓ値）等が設定されると、放射線源３ａから設定された管電圧等に応じた線量の放射線を照射させるなど放射線源３ａの制御を行うようになっている。
【００２３】
また、撮影室Ｒａには、撮影室Ｒａ内の各装置等や撮影室Ｒａ外の各装置等の間の無線方式や有線方式での通信等を中継するためのアクセスポイント４ａを備えた中継器４が設けられている。放射線発生装置３の操作卓３ｂは前室（操作室等ともいう。）Ｒｂに設けられており、操作卓３ｂには、撮影者が操作して放射線発生装置３に対して放射線の照射開始等を指示するための曝射スイッチ３ｃが取り付けられている。
【００２４】
また、前室Ｒｂには、放射線画像撮影装置１や放射線発生装置３等を制御して撮影を行わせるためのコンソール５が設置されている。コンソール５には、ＣＲＴ（Cathode Ray Tube）やＬＣＤ（Liquid Crystal Display）等で構成される画面５ａや、入力手段５ｂが設けられている。また、コンソール５には、ＨＤＤ（Hard Disk Drive）等で構成された記憶手段５ｃが接続され、あるいは内蔵されている。そして、コンソール５は、撮影した画像や、撮影や画像生成等に関する情報（例えば撮影条件や画像処理に用いたパラメーター等）を記憶手段５ｃに保存するようになっている。
【００２５】
なお、図３では図示を省略したが、コンソール５は、通信ネットワーク等を介して施設内のＲＩＳ（Radiology Information System；放射線科情報システム）やデータベース等に接続されており、施設で決められた仕様に沿って撮影した画像や、撮影や画像生成等に関する情報等を必要なシステムやデータベース等に送信して保存するようになっている。また、コンソール５と放射線発生装置３とが接続されていない場合もある。
【００２６】
一方、前述したように、図４に示すように、放射線発生装置３やコンソール５等を回診車３０に搭載して病室Ｒ１に持ち込み、撮影を病室Ｒ１等で行う場合もある。この場合、回診車３０には、放射線源３ａやコンソール５が搭載されており、また、図示を省略するが、放射線発生装置３（いわゆるジェネレーター）や中継器４等が回診車３０の本体内に収納されている。
【００２７】
そして、この場合、放射線画像撮影装置１は、ベッドＢｅと被写体Ｈである患者との間に差し込まれたり、あるいは患者の身体にあてがわれるようにして撮影に用いられる。また、図示を省略するが、撮影後、コンソール５を通信ネットワークに接続する等して、コンソール５から施設内のＲＩＳ等のシステムやデータベース等に、撮影した画像や、撮影や画像生成等に関する情報等を適宜送信して保存するように構成される。
【００２８】
［医療画像装置解析システムについて］
次に、本実施形態に係る医療画像装置解析システム１００について説明する。本実施形態では、医療画像装置解析システム１００は、図５に示すように、病院や医院等の施設Ａ、Ｂ、Ｃ、…と、データセンターＤとを備えている。
【００２９】
施設Ａ、Ｂ、Ｃ、…は、前述した放射線画像撮影装置１や放射線発生装置３、コンソール５（以下、まとめて医療画像装置１、３、５という場合がある。）等を備えている。なお、図５において、６は前述したＲＩＳ等のシステムやデータベース等を表しており、以下、内部システム等６という。また、本実施形態では、施設Ａ、Ｂ、Ｃ、…は、ゲートウェイ装置７を備えている。
【００３０】
また、データセンターＤは、解析装置１０を備えており、解析装置１０には、ＨＤＤ等で構成された記憶装置１１が接続され、あるいは内蔵されている。そして、本実施形態では、解析装置１０は、顧客の施設Ａ、Ｂ、Ｃ、…から、施設内の医療画像装置１、３、５に関する装置識別設定情報や装置状態の情報、顧客の運用データのいずれか１つあるいはそれらの組み合わせを収集するようになっている。
【００３１】
なお、各施設Ａ、Ｂ、Ｃ、…、はデータセンターＤの顧客である。また、データセンターＤの顧客である施設は１つや２つであってもよく、４つ以上であってもよい。また、顧客の施設が１つである場合には、データセンターＤは当該施設内に設けられてもよい。さらに、顧客側は、データセンターＤの解析装置１０が情報やデータの収集を行う際に、何らかの操作を行う必要はない。以下、まず、データセンターＤの解析装置１０が施設Ａから情報やデータを収集する場合について説明する。なお、データセンターＤの解析装置１０が施設Ｂ、Ｃ、…からの情報やデータの収集等を行う場合についても同様に説明される。
【００３２】
ここで、施設内の医療画像装置１、３、５に関する装置識別設定情報（以下、単に装置識別設定情報という。）とは、医療画像装置１、３、５の固有の状態を表す情報であり、例えば、ＦＰＤの感度、ＦＰＤのシンチレーターのタイプ、ＦＰＤのサイズ（１４×１７インチ等）、ＦＰＤの画素ピッチ／ビニング種類、放射線検出素子のタイプ（フォトダイオード、ＣＣＤ等）、ソフトウエアのバージョン情報、装置の各パラメーターの情報、オペレーティングシステム（ＯＳ）の情報等である。
【００３３】
なお、この装置識別設定情報は、運用中に変化する情報ではないため、例えば医療画像装置１、３、５を施設Ａに導入した時点や保守時に変更した場合等にデータセンターＤの解析装置１０が１回だけ収集して記憶装置１１に保存しておけばよく、その後、改めて収集する必要はない。
【００３４】
また、施設内の医療画像装置１、３、５に関する装置状態の情報（以下、単に装置状態情報という。）とは、医療画像装置１、３、５に関する運用中に変化する情報であり、例えば、ＦＰＤの無線情報（受信レベル、転送レート／時間）、ＦＰＤの内蔵電源の残容量、放射線の照射線量（ＦＰＤに照射された放射線の線量と、放射線発生装置がＦＰＤに照射した放射線の線量、被写体の被曝線量等を含む。）、ハードウエア診断情報（ＦＰＤ、コンソール、放射線発生装置）、装置稼働ログ（ＦＰＤ、放射線発生装置）等である。
【００３５】
また、顧客の運用データとは、顧客が医療画像装置１、３、５をどのようにして使ったかを表すデータであり、例えば、撮影条件（管電圧、管電流、照射時間（あるいはｍＡｓ値）、照射野サイズ、ＳＩＤ（放射線源とＦＰＤとの距離）、グリッドの有無等）、撮影実施結果（技師情報、患者情報、撮影部位、使用した医療画像装置、照射結果、撮影画像、撮影枚数、写損枚数等）、撮影室（又は回診車やオペ室等）単位での検査数や撮影数、操作ログ（誰がいつどの装置をどのように使ったか）等である。
【００３６】
装置状態情報と顧客の運用データは、時々刻々変化する情報であるため、例えば、撮影が行われるごとに、撮影が行われた施設Ａ、Ｂ、Ｃ、…からデータセンターＤの解析装置１０が情報やデータを収集したり、また、データセンターＤの解析装置１０が定期的に収集するように構成してもよく、情報やデータの収集の仕方は適宜決められる。
【００３７】
その際、例えば、施設Ａのゲートウェイ装置７が予め医療画像装置１、３、５や内部システム等６（すなわち上記の情報やデータが保存されている装置やシステム等）から必要な情報やデータを収集しておき、データセンターＤの解析装置１０が各施設のゲートウェイ装置７にアクセスして必要な情報やデータをゲートウェイ装置７から収集するように構成することが可能である。
【００３８】
また、データセンターＤの解析装置１０からの要請に応じて施設Ａのゲートウェイ装置７が収集した必要な情報やデータを、解析装置１０がゲートウェイ装置７から収集するように構成することも可能である。さらに、データセンターＤの解析装置１０が施設Ａ内の医療画像装置１、３、５や内部システム等６から必要な情報やデータを直接収集するように構成することも可能である。この場合は、ゲートウェイ装置７は必ずしも施設Ａに設けられていなくてもよい。
【００３９】
そして、データセンターＤの解析装置１０は、上記のようにして、顧客の施設Ａから、当該施設内の装置識別設定情報、装置状態情報又は顧客の運用データのいずれか１つ、あるいはそれらの組み合わせを収集すると、収集した装置識別設定情報、装置状態情報、顧客の運用データに基づいて顧客の当該医療画像装置１、３、５に対する運用上の課題を分析し、分析結果を当該顧客にフィードバックするようになっている。
【００４０】
顧客の運用上の課題の例としては、例えば図６に示すように、撮影した画像中における被写体の位置（以下、ポジショニングという。）、撮影条件（管電圧、管電流、照射時間（あるいはｍＡｓ値）、照射野サイズ、ＳＩＤ、グリッドの有無等）、画像処理調整（調整方法、適用したパラメーター等）、無線環境（使用したチャネル、使用したアクセスポイント、無線通信を行った場所等）、セキュリティー対応状況（ＯＳのパッチ適用情報、無線暗号化、スクリーンセーバーの設定の有無、可搬メディアへのアクセス可否等）、医療画像装置の使用方法（画面操作、画面遷移、ＦＰＤ操作、ＦＰＤ充電方法、ＦＰＤでの省電力モードへの移行、撮影対象に対する医療画像装置の選択方法、キャリブレーション時期等）を挙げることができる。
【００４１】
また、課題への対策の例としては、例えば図６に示すように、画像の統計分析結果に基づくアドバイス、撮影条件パラメーターの例示や提供、画像処理パラメーターの例示や提供、施設無線環境の変更や装置無線パラメーター変更、医療画像装置における設定の変更、オプションソフトウエアの追加、ソフトウエアのバージョンアップ、ＯＳパッチ適用等を挙げることができる。このように、データセンターＤの解析装置１０は、分析結果や運用上の課題を解決する方法を顧客にフィードバックするようになっている。
【００４２】
具体的には、例えば顧客の運用上の課題がポジショニングである場合について説明すると、データセンターＤの解析装置１０は、施設Ａから収集した情報やデータのうち、顧客の運用データの中の撮影実施結果から撮影画像等を抽出する。そして、撮影画像のポジショニングが良好（すなわち例えば撮影部位が画像中の所定の範囲内に収まっている等）であれば「ポジショニングＯＫ」に分類して、必要な情報等を付加して記憶装置１１（図５参照）に保存する。この場合、少なくともポジショニングについて特に問題がなければ、顧客にフィードバックする必要はない。
【００４３】
しかし、データセンターＤの解析装置１０は、例えば今回収集した撮影画像のポジショニングが良好でなければ当該撮影画像を参照事例として「ポジショニングＮＧ」に分類して記憶装置１１に保存する。また、それとともに、記憶装置１１に保存されている、施設内の装置識別設定情報の中から、その撮影に使用したＦＰＤのサイズを参照する。
【００４４】
そして、データセンターＤの解析装置１０は、記憶装置１１に記憶されている、より大きなサイズの放射線画像撮影装置１（医療画像装置１）を用いて同じ撮影部位を撮影した過去の撮影画像のうち、「ポジショニングＯＫ」に分類されている撮影画像と「ポジショニングＮＧ」に分類されている撮影画像との統計分析（すなわち例えばどの程度の割合で「ポジショニングＮＧ」に分類されているか等）を行う。そして、その結果、放射線画像撮影装置１のサイズがより大きければポジショニングが良好に行われた可能性が高いと判断した場合には、例えばもう少しサイズが大きいパネルを使用すれば良好に撮影を行うことができる旨を顧客にフィードバックする（画像の統計分析結果に基づくアドバイス（図６参照））。
【００４５】
また、データセンターＤの解析装置１０は、例えばポジショニングが良好でなく「ポジショニングＮＧ」に分類した今回収集した撮影画像の被写体である患者を、同時に収集した顧客の運用データの患者情報から割り出し、同じ患者を撮影した過去の撮影画像を記憶装置１１から読み出す。そして、今回の撮影は立位（患者が起立した状態）で行われたが、統計分析の結果、例えば過去に座位（患者が椅子に座った状態）で撮影した場合にポジショニングが良好であったことがあったと判断した場合には、例えば椅子に座らせて撮影してもよい旨を顧客にフィードバックしてアドバイスすることも可能である。
【００４６】
さらに、データセンターＤの解析装置１０は、記憶手段１１に保存されている撮影画像のうち「ポジショニングＯＫ」に分類されている撮影画像の中から、最も適切にポジショニングされている撮影画像を選択して、当該撮影画像をポジショニングが良好な画像としてフィードバックしてサンプル提示するように構成することも可能である。
【００４７】
また、他の顧客の運用上の課題としては、データセンターＤの解析装置１０は、例えば収集した装置状態情報のうち放射線の照射線量（ＦＰＤに照射された放射線の線量、放射線発生装置がＦＰＤに照射した放射線の線量、被写体の被曝線量等）が所定の範囲を逸脱して大きいと判断した場合には、図６に示すように、他の患者（又は同じ患者）の同じ撮影部位を良好に撮影して被写体の被曝線量等が所定の範囲内に収まっている場合の撮影条件パラメーター（管電圧、管電流、照射時間（あるいはｍＡｓ値）、ＳＩＤ等）を顧客にフィードバックして例示したり、提供したりすることが可能である。また、当該撮影部位を撮影する際の標準的な撮影条件パラメーターを例示したり提供したりしてもよい。
【００４８】
また、データセンターＤの解析装置１０は、画像処理調整についても、より適切な画像処理パラメーターや当該撮影部位を画像処理調整する場合の標準的な画像処理パラメーターを顧客にフィードバックして例示したり提供したりするように構成することが可能である。
【００４９】
一方、データセンターＤの解析装置１０は、分析結果や運用上の課題を解決する方法を顧客にフィードバックする際に、上記の施設向けのポータルサイトにｗｅｂコンテンツとして提供したり電子メールで通知する等して顧客の施設Ａに提供することが可能である。そして、この場合、施設Ａは、それらのフィードバックされた分析結果や運用上の課題を解決する方法を当該施設内の装置の画面（例えばコンソール５の画面５ａや図示しない管理サーバーの画面等）上に表示して、施設内の担当者に通知するように構成される。また、データセンターＤの解析装置１０は、分析結果や運用上の課題を解決する方法を紙面にプリントアウトして提供するように構成することも可能である。
【００５０】
このように構成すれば、分析結果や運用上の課題を解決する方法を顧客の施設Ａの担当者等に的確に通知することが可能となる。そのため、データセンターＤの解析装置１０が顧客の施設Ａの医療画像装置１、３、５の状態や運用等を監視して、サービスマンが当該施設を訪問しなくても、顧客が容易かつ的確に医療画像装置１、３、５の運用を最適化することが可能となる。
【００５１】
また、前述した医療画像装置における設定の変更やパラメーターの変更、ソフトウエアのバージョンアップ等については、上記のように施設内の装置の画面上に表示してもよいが、施設Ａが、フィードバックされた分析結果や運用上の課題を解決する方法、すなわち上記の医療画像装置における設定の変更やパラメーターの変更、ソフトウエアのバージョンアップ等を医療画像装置１、３、５に対して顧客が確認した上で、あるいは顧客の確認なしに適用するように構成することも可能である。
【００５２】
このように構成すれば、施設Ａにおける医療画像装置１、３、５は、自動的に設定が適切に変更されたりパラメーターが適切なパラメーターに変更されたり、ソフトウエアがバージョンアップされる等して最適化される。そのため、データセンターＤの解析装置１０が顧客の施設Ａの医療画像装置１、３、５の状態や運用等を監視して、サービスマンが当該施設を訪問しなくても、顧客が容易かつ的確に医療画像装置１、３、５の運用を最適化することが可能となる。
【００５３】
ところで、上記では、データセンターＤの解析装置１０が顧客の施設Ａから情報やデータを収集し、分析結果や運用上の課題を解決する方法を施設Ａにフィードバックする場合について説明した。しかし、図５に示したように、データセンターＤの解析装置１０が複数の施設Ａ、Ｂ、Ｃ、…から情報やデータ（すなわち装置識別設定情報や装置状態情報、顧客の運用データ）を収集するように構成することも可能である。
【００５４】
そして、この場合、データセンターＤの解析装置１０が、複数の顧客の各施設Ａ、Ｂ、Ｃ、…から、当該施設内の装置識別設定情報、装置状態情報、顧客の運用データのいずれか１つ又はそれらの組み合わせを収集し、一の顧客の施設（例えば施設Ａ）から収集した情報やデータに基づいて顧客の医療画像装置１、３、５に対する運用上の課題を分析する際に、他の顧客の施設（例えば施設Ｂ、Ｃ、…）の医療画像装置１、３、５に対する運用上の課題を分析した分析結果を利用して分析して、分析結果や運用上の課題を解決する方法を一の顧客にフィードバックするように構成することが可能である。
【００５５】
すなわち、例えば顧客の施設Ａから収集した情報やデータだけでなく、他の施設Ｂ、Ｃ、…から収集した情報やデータもあわせて分析し、その分析結果や運用上の課題を解決する方法を顧客の施設Ａにフィードバックするように構成することも可能である。
【００５６】
このように構成すれば、例えば、施設Ａで行われている医療画像装置１、３、５に対する運用よりも施設Ｂで行われている運用の方がより良い運用状態になっている場合に、データセンターＤの解析装置１０がその原因を分析して、施設Ｂで、施設Ａでは行われていない運用が行われているためであると分析した場合に、医療画像装置１、３、５に対してその運用を行う旨を施設Ａにフィードバックすることで、サービスマンが顧客の施設Ａを訪問しなくても、顧客の施設Ａが容易かつ的確に医療画像装置１、３、５の運用を最適化することが可能となる。
【００５７】
以上のように、本実施形態に係る医療画像装置解析システム１００によれば、顧客の施設Ａ、Ｂ、Ｃ、…から、施設内の医療画像装置１、３、５に関する装置識別設定情報、装置状態情報、顧客の運用データのいずれか１つあるいはそれらの組み合わせを収集し、収集した装置識別設定情報や装置状態情報、顧客の運用データに基づいて顧客の当該医療画像装置１、３、５に対する運用上の課題を分析し、分析結果を当該顧客にフィードバックするように構成した。
【００５８】
そのため、顧客の施設Ａ、Ｂ、Ｃ、…の医療画像装置１、３、５の状態や運用等を監視して、サービスマンが顧客の施設を訪問しなくても、顧客が容易かつ的確に医療画像装置１、３、５の運用を最適化することが可能となる。
【００５９】
なお、本発明が上記の実施形態等に限定されず、本発明の趣旨を逸脱しない限り、適宜変更可能であることは言うまでもない。
【符号の説明】
【００６０】
１  放射線画像撮影装置（医療撮影装置）
３  放射線発生装置（医療撮影装置）
５  コンソール（医療撮影装置、施設内の装置）
５ａ  画面
１００  医療画像装置解析システム
Ａ、Ｂ、Ｃ  顧客の施設
【図１】
2018163408.tif 000003
【図２】
2018163408.tif 000004
【図３】
2018163408.tif 000005
【図４】
2018163408.tif 000006
【図５】
2018163408.tif 000007
【図６】
2018163408.tif 000008